(57)【要約】【課題】  電子機器の電源ＯＦＦ時の消費電力を増大させることなく、接続ケーブルでホスト装置と接続して使用する際にホスト装置と電子機器との両者の電源操作をすることの煩わしさを軽減する。【解決手段】  第１の電圧制御手段４０は、ＵＳＢ接続ケーブルＣＢにて接続された情報処理装置２００からＵＳＢコネクタ３４を介して供給されるバスパワー電圧を検出し、バスパワー電圧の立ち上がりを検出した時点から所定時間、電圧制御端子ＰＳＣを０Ｖに短絡する。記録制御部１００は、入力端子ＩＰ２から入力したバスパワー電圧が一定の電圧以上である間は、トランジスタＱ１をＯＮ制御して電圧制御端子ＰＳＣを０Ｖに短絡した状態を保持し、バスパワー電圧が一定の電圧未満に低下したことを検出した後、トランジスタＱ１をＯＦＦ制御して電圧制御端子ＰＳＣをハイインピーダンスに保持する。【選択図】図４
2005250739.tif 000002
【特許請求の範囲】
【請求項１】
ケーブル接続によるホスト装置との接続インタフェース回路と、
電圧制御端子を有する電源装置と、
前記接続ケーブルを介して前記ホスト装置から供給されるバスパワー電圧を検出し、一定の電圧以上のバスパワー電圧を検出している間、前記電源装置の出力電圧が定格電圧となる如く電圧制御端子の電圧を制御する電源制御手段とを備えた電子機器。
【請求項２】
請求項１において、前記電源装置は、前記電圧制御端子がハイインピーダンス状態で出力電圧が待機電圧となり、０Ｖに短絡されると出力電圧が定格電圧となる構成を有し、
前記電源制御手段は、前記電源装置の出力電圧が待機電圧である間、前記接続ケーブルを介して前記バスパワー電圧の立ち上がりを検出した時点から所定時間だけ前記電圧制御端子を０Ｖに短絡する第１の電圧制御手段と、
前記電源装置の出力電圧が定格電圧である間、前記接続ケーブルを介して前記バスパワー電圧を検出し、前記バスパワー電圧が一定の電圧以上である間は、前記電圧制御端子を０Ｖに短絡した状態を保持し、前記バスパワー電圧が一定の電圧未満に低下したことを検出した後、前記電圧制御端子をハイインピーダンスに保持する第２の電圧制御手段とを備えている、ことを特徴とした電子機器。
【請求項３】
請求項２において、前記第１の電圧制御手段は、前記バスパワー電圧の立ち上がりを検出する立ち上がり検出回路と、
該立ち上がり検出回路が検出した前記バスパワー電圧の立ち上がりから所定時間のＯＮ電圧を出力するワンショット回路と、
該ワンショット回路が出力するＯＮ電圧で動作して前記電圧制御端子を０Ｖに短絡する電源制御用スイッチ回路とを有している、ことを特徴とした電子機器。
【請求項４】
請求項２又は３において、非操作時に前記電圧制御端子がハイインピーダンスとなり、操作時に前記電圧制御端子が０Ｖに短絡される如く前記電圧制御端子に接続されている電源スイッチを備え、
前記第２の電圧制御手段は、前記電源スイッチの操作状態を検出する電源スイッチ操作検出手段を有し、
前記電源装置の出力電圧が定格電圧である間に前記電源スイッチが操作されたことを検出した後、前記電圧制御端子をハイインピーダンスに保持する、ことを特徴とした電子機器。
【請求項５】
請求項４において、前記第２の電圧制御手段は、前記電源装置の出力電圧が定格電圧である間に前記接続ケーブルを介して前記バスパワー電圧を検出している間は、前記電源スイッチが操作されたことを検出しても前記電圧制御端子を０Ｖに短絡した状態を保持する、ことを特徴とした電子機器。
【請求項６】
請求項５において、前記第２の電圧制御手段は、前記電源装置の出力電圧が定格電圧である間に前記接続ケーブルを介して前記バスパワー電圧を検出している間は、前記電源スイッチが一定時間以上操作されたことを検出した後、前記電圧制御端子をハイインピーダンスに保持する、ことを特徴とした電子機器。
【請求項７】
請求項１〜６のいずれか１項において、被記録材へインクを噴射する記録ヘッドを主走査方向へ往復動させる主走査駆動手段と、前記被記録材を副走査方向へ所定の搬送量にて搬送する副走査駆動手段と、前記記録ヘッド、前記主走査駆動手段、及び副走査駆動手段を制御して被記録材への記録を実行する記録制御手段とを備え、
前記記録制御手段は、前記ホスト装置から前記接続インタフェース回路を介して受信した記録制御データに基づいて被記録材への記録を実行する、ことを特徴とした電子機器。
【発明の詳細な説明】
【技術分野】
【０００１】
本発明は、ケーブル接続によるホスト装置との接続インタフェース回路を備えた電子機器に関する。
【背景技術】
【０００２】
公知のＵＳＢ（Ｕｎｉｖｅｒｓａｌ・Ｓｅｒｉａｌ・Ｂｕｓ）等のケーブル接続によるホスト装置との接続インタフェース回路を備えた一般的な電子機器においては、主にホスト装置と接続された状態で使用されるのが通常であるが、実際に使用する際には、ホスト装置とその電子機器とを接続ケーブルで接続した後、ホスト装置の電源スイッチ操作と、その電子機器のスイッチ操作と両者の電源ＯＮ操作をしなければならない。例えば、電子機器としてネットワーク等に接続されていないスタンドアロンのインクジェット式プリンタ等の記録装置に、印刷実行時のみＵＳＢケーブルでホスト装置としてのノートパソコンを接続して、ノートパソコンから画像データ等を送信して印刷を実行するような用途においては、印刷を実行する度にユーザは、ノートパソコンの電源ＯＮ、ノートパソコンとインクジェット式プリンタとのケーブル接続、及びインクジェット式プリンタの電源ＯＮを行わなければならないため煩わしいという課題が生じる。このように接続ケーブルで接続されたホスト装置と電子機器との両者の電源操作をすることの煩わしさを軽減する従来技術の一例としては、ホスト装置と電子機器とを接続している接続インタフェース回路を介してホスト装置の電源状態を監視し、ホスト装置の電源がＯＦＦである場合に電子機器を自動的に省電力モードに移行させるものが公知である（例えば、特許文献１を参照）。
【０００３】
【特許文献１】特開２００３−１１０７６２号公報
【発明の開示】
【発明が解決しようとする課題】
【０００４】
しかしながら、特許文献１に開示されている従来技術は、電子機器（ファクシミリ装置等）の内部のマイコン制御装置によって電子機器の電力モードが管理されるので、省電力モードにおいても電子機器内部のマイコン制御装置を常に動作させておかなければならない。そのため、例えば、前述したインクジェット式プリンタのように、電源ＯＮの状態で使用している時間と比較して、電源ＯＦＦ（省電力モード）で使用しない時間の方が圧倒的に長いような電子機器においては、電源ＯＦＦ時に内部のマイコン制御装置が動作していると電源ＯＦＦの間の消費電力量が大幅に増大してしまうという課題が生じてしまう。
【０００５】
本発明は、このような状況に鑑み成されたものであり、その課題は、ケーブル接続によるホスト装置との接続インタフェース回路を備えた電子機器において、電子機器の電源ＯＦＦ時の消費電力を増大させることなく、接続ケーブルでホスト装置と接続して使用する際にホスト装置と電子機器との両者の電源操作をすることの煩わしさを軽減することにある。
【課題を解決するための手段】
【０００６】
上記課題を達成するため、本発明の第１の態様は、ケーブル接続によるホスト装置との接続インタフェース回路と、電圧制御端子を有する電源装置と、前記接続ケーブルを介して前記ホスト装置から供給されるバスパワー電圧を検出し、一定の電圧以上のバスパワー電圧を検出している間、前記電源装置の出力電圧が定格電圧となる如く電圧制御端子の電圧を制御する電源制御手段とを備えた電子機器である。
【０００７】
接続ケーブルを介してホスト装置から供給されるバスパワー電圧を検出し、ホスト装置のバスパワー電圧を検出している間、つまり、電源ＯＮ状態のホスト装置が接続インタフェース回路を介して接続されている間、電子機器の電源装置の出力電圧が定格電圧となるように電源装置の電圧制御端子を制御する。したがって、電源ＯＮ状態のホスト装置が接続されている間のみ電子機器の電源がＯＮ状態に制御されることになり、換言すれば、電源ＯＮ状態のホスト装置との接続ケーブルを電子機器に接続すると電子機器が自動的に電源ＯＮとなり、その接続ケーブルを抜くと、電子機器が自動的に電源ＯＦＦとなり、電子機器の電源ＯＮ／ＯＦＦ操作を電源ＯＮ状態のホスト装置との接続ケーブルの抜き差しで自動的に行うことができる。  
また、接続ケーブルを介してホスト装置から供給されるバスパワー電圧を利用して、電源ＯＮ状態のホスト装置の接続状態を検出して電子機器の電源装置の出力電圧を制御するので、電子機器が電源ＯＦＦ状態のときに電子機器内部のマイコン制御装置を停止させた状態で、接続インタフェース回路を介して接続されているホスト装置の電源状態を検出することが可能になる。
【０００８】
これにより、本発明の第１の態様に示した電子機器によれば、電子機器が電源ＯＦＦ状態のときに電子機器内部のマイコン制御装置を停止させた状態で、接続インタフェース回路を介して接続されているホスト装置の電源状態を検出することが可能になり、かつ電子機器の電源ＯＮ／ＯＦＦ操作を電源ＯＮ状態のホスト装置との接続ケーブルの抜き差しで自動的に行うことができるので、電子機器の電源ＯＦＦ時の消費電力を増大させることなく、接続ケーブルでホスト装置と接続して使用する際にホスト装置と電子機器との両者の電源操作をすることの煩わしさを軽減することができるという作用効果が得られる。  
本発明の第２の態様は、前述した第１の態様において、前記電源装置は、前記電圧制御端子がハイインピーダンス状態で出力電圧が待機電圧となり、０Ｖに短絡されると出力電圧が定格電圧となる構成を有し、前記電源制御手段は、前記電源装置の出力電圧が待機電圧である間、前記接続ケーブルを介して前記バスパワー電圧の立ち上がりを検出した時点から所定時間だけ前記電圧制御端子を０Ｖに短絡する第１の電圧制御手段と、前記電源装置の出力電圧が定格電圧である間、前記接続ケーブルを介して前記バスパワー電圧を検出し、前記バスパワー電圧が一定の電圧以上である間は、前記電圧制御端子を０Ｖに短絡した状態を保持し、前記バスパワー電圧が一定の電圧未満に低下したことを検出した後、前記電圧制御端子をハイインピーダンスに保持する第２の電圧制御手段とを備えている、、ことを特徴とした電子機器である。
【０００９】
電源装置の出力電圧が待機電圧である間は、第１の電圧制御手段によってバスパワー電圧の立ち上がりを検出した時点から所定時間、電圧制御端子を０Ｖに短絡する。その間、電源装置の出力電圧は定格電圧となる。また、電源装置の出力電圧が定格電圧である間は、第２の電圧制御手段によってバスパワー電圧が一定の電圧以上である間、電圧制御端子を０Ｖに短絡した状態を保持し、バスパワー電圧が一定の電圧未満に低下した時点で電圧制御端子をハイインピーダンスに保持する。電源ＯＮ状態のホスト装置が接続インタフェース回路を介して接続ケーブルで接続されると、電源装置の電圧制御端子が第１の電圧制御手段によって所定時間０Ｖに短絡されて、電源装置の出力電圧が定格電圧となる。所定時間が経過して第１の電圧制御手段による電圧制御端子の０Ｖへの短絡が行われなくなる前に、第２の電圧制御手段によって電圧制御端子を０Ｖに短絡した状態が保持されるので、電源装置の出力電圧が定格電圧のまま維持される。それによって、電子機器の電源が自動的にＯＮとなる。そして、接続ケーブルが抜かれると、或いは、ホスト装置の電源がＯＦＦされると、第２の電圧制御手段は、バスパワー電圧が一定の電圧未満に低下したことを検出し、その後電圧制御端子をハイインピーダンスに保持する。電源装置の出力電圧が定格電圧から待機電圧へ低下し、電子機器の電源が自動的にＯＦＦとなる。
【００１０】
このように、電源装置の出力電圧が待機電圧である間は、第１の電圧制御手段にてバスパワー電圧の立ち上がりを検出して電源装置の出力電圧を定格電圧にし、電源装置の出力電圧が定格電圧になった後は、第２の電圧制御手段によって電源装置の電圧制御端子を０Ｖに保持することによって、バスパワー電圧が一定の電圧未満に低下した時点から電圧制御端子をハイインピーダンスにするタイミングを第２の電圧制御手段がコントロールすることが可能になる。したがって、例えば、バスパワー電圧が一定の電圧未満に低下した時点ですぐに電圧制御端子をハイインピーダンスにせずに、電子機器の電源ＯＦＦ時に必要な制御手順等を電子機器のマイコン制御装置等が実行した後に電圧制御端子をハイインピーダンスにして電子機器の電源をＯＦＦするといったことが可能になる。  
尚、第１の電圧制御手段は、電源装置が出力する待機電圧で動作する回路構成としても良く、或いは、ホスト装置から供給されるバスパワー電圧を電源として動作する回路構成とすると、電源ＯＦＦ時の電子機器の消費電力をさらに低減させることができるので、より好ましい態様であると言える。
【００１１】
本発明の第３の態様は、前述した第２の態様において、前記第１の電圧制御手段は、前記バスパワー電圧の立ち上がりを検出する立ち上がり検出回路と、該立ち上がり検出回路が検出した前記バスパワー電圧の立ち上がりから所定時間のＯＮ電圧を出力するワンショット回路と、該ワンショット回路が出力するＯＮ電圧で動作して前記電圧制御端子を０Ｖに短絡する電源制御用スイッチ回路とを有している、ことを特徴とした電子機器である。
【００１２】
このように、立ち上がり検出回路にて検出したバスパワー電圧の立ち上がりをワンショット回路に入力し、バスパワー電圧の立ち上がりを入力されたワンショット回路が出力する所定時間のＯＮ電圧で電源制御用スイッチ回路を動作させる。それによって、電源装置の電圧制御端子が所定時間０Ｖに短絡されて、電源装置の出力電圧が定格電圧となる。ワンショット回路がＯＮ電圧を出力している間に、第２の電圧制御手段によって電圧制御端子が０Ｖに短絡した状態に保持され、ワンショット回路の出力電圧がＯＦＦ電圧になった後も電源装置の出力電圧が定格電圧のまま維持される。それによって、電子機器の電源が自動的にＯＮとなる。
【００１３】
本発明の第４の態様は、前述した第２の態様又は第３の態様において、非操作時に前記電圧制御端子がハイインピーダンスとなり、操作時に前記電圧制御端子が０Ｖに短絡される如く前記電圧制御端子に接続されている電源スイッチを備え、前記第２の電圧制御手段は、前記電源スイッチの操作状態を検出する電源スイッチ操作検出手段を有し、前記第１の電圧制御手段にて一定の電圧以上のバスパワー電圧を検出していない間は、前記電源装置の出力電圧が定格電圧である間に前記電源スイッチが操作されたことを検出した後、前記電圧制御端子をハイインピーダンスに保持する、ことを特徴とした電子機器である。
【００１４】
このように、第１の電圧制御手段にて一定の電圧以上のバスパワー電圧を検出していない間は、つまり、電源ＯＮ状態のホスト装置が接続インタフェース回路を介して接続ケーブルで接続されていない間は、ユーザが電子機器の電源スイッチを操作することによって、電源装置の電圧制御端子が０Ｖに短絡されて電源装置の出力電圧が定格電圧となる。その間に、第２の電圧制御手段は、電源スイッチの操作状態を検出して電圧制御端子を０Ｖに短絡した状態を保持する。それによって、電源スイッチが非操作状態となった後も電源装置の出力電圧が定格電圧のまま維持され、電子機器の電源が自動的にＯＮとなる。また、第２の電圧制御手段は、電源装置の出力電圧が定格電圧である間、つまり、電子機器の電源がＯＮの間に再度電源スイッチが操作されたことを検出した後、電圧制御端子をハイインピーダンスに保持し、それによって、電源装置の出力電圧が定格電圧から待機電圧へ低下し、電子機器の電源が自動的にＯＦＦとなる。これによって、電子機器にホスト装置が接続されていないスタンドアロンの状態においては、電子機器に設けられた電源スイッチによって電子機器の電源をＯＮ／ＯＦＦすることができる。
【００１５】
本発明の第５の態様は、前述した第４の態様において、前記第２の電圧制御手段は、前記電源装置の出力電圧が定格電圧である間に前記接続ケーブルを介して前記バスパワー電圧を検出している間は、前記電源スイッチが操作されたことを検出しても前記電圧制御端子を０Ｖに短絡した状態を保持する、ことを特徴とした電子機器である。このように、接続ケーブルを介してバスパワー電圧が検出されている間は、つまり、電源ＯＮ状態のホスト装置が接続されている間は、電源スイッチが操作されても電子機器の電源ＯＮ状態を維持するようにしても良い。
【００１６】
本発明の第６の態様は、前述した第５の態様において、前記電源装置の出力電圧が定格電圧である間に前記接続ケーブルを介して前記バスパワー電圧を検出している間は、前記電源スイッチが一定時間以上操作されたことを検出した後、前記電圧制御端子をハイインピーダンスに保持する、ことを特徴とした電子機器である。このように、接続ケーブルを介してバスパワー電圧が検出されている間は、つまり、電源ＯＮ状態のホスト装置が接続されている間は、電源スイッチが操作されても電子機器の電源ＯＮ状態を維持するようにしつつ、電源スイッチが一定時間以上操作されたことを検出した場合には、電子機器の電源をＯＦＦするようにしても良い。それによって、ホスト装置と電子機器とを常時接続ケーブルで接続した状態でも電子機器の電源を電源スイッチでＯＮ／ＯＦＦすることが可能になる。
【００１７】
本発明の第７の態様は、前述した第１の態様〜第６の態様のいずれかにおいて、被記録材へインクを噴射する記録ヘッドを主走査方向へ往復動させる主走査駆動手段と、前記被記録材を副走査方向へ所定の搬送量にて搬送する副走査駆動手段と、前記記録ヘッド、前記主走査駆動手段、及び副走査駆動手段を制御して被記録材への記録を実行する記録制御手段とを備え、前記記録制御手段は、前記ホスト装置から前記接続インタフェース回路を介して受信した記録制御データに基づいて被記録材への記録を実行する、ことを特徴とした電子機器である。
【００１８】
本発明の第７の態様に示した電子機器によれば、記録紙へ記録する手段を備えたインクジェット式プリンタやファクシミリ等の記録装置、或いは、記録紙へ記録する手段に加えてスキャナやコピー機能等を備えたデジタル複合機等の電子機器において、前述した第１の態様〜第６の態様のいずれかに記載の発明による作用効果を得ることができ、それによって、これらの電子機器の消費電力を大幅に低減させることができる。
【発明を実施するための最良の形態】
【００１９】
以下、本発明の実施の形態を図面に基づいて説明する。  
まず、本発明に係る「電子機器」の一例としてのインクジェット式記録装置の概略構成について説明する。
【００２０】
図１は、本発明に係るインクジェット式記録装置の概略の平面図であり、図２はその側面図である。  
インクジェット式記録装置５０には、記録紙Ｐにインクを噴射して記録を行う記録ヘッド６２を記録紙Ｐに対して主走査方向Ｘに走査させる「主走査駆動手段」として、キャリッジガイド軸５１に軸支され、主走査方向Ｘに移動するキャリッジ６１が設けられている。キャリッジ６１には、記録ヘッド６２と、記録ヘッド６２から噴射する各色のインクが充填されたインクカートリッジ６１１とが搭載されている。記録ヘッド６２と対向して、記録ヘッド６２のヘッド面と記録紙Ｐとのギャップを規定するプラテン５２が設けられている。
【００２１】
また、インクジェット式記録装置５０には、記録ヘッド６２を記録紙Ｐに対して副走査方向Ｙに走査させる「副走査駆動手段」として、記録紙Ｐを副走査方向Ｙに搬送する搬送駆動ローラ５３と搬送従動ローラ５４が設けられている。搬送駆動ローラ５３は、ステッピング・モータ等の回転駆動力により回転制御され、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録紙Ｐは、その表面の摩擦抵抗によって搬送駆動ローラ５３の表面に密着し、搬送駆動ローラ５３の回転によって副走査方向に搬送される。キャリッジ６１とプラテン５２の間に記録紙Ｐを副走査方向Ｙに所定の搬送量で搬送する動作と、記録ヘッド６２を主走査方向Ｘに一往復させる間に記録ヘッド６２から記録紙Ｐにインクを噴射する動作とを交互に繰り返すことによって記録紙Ｐに記録が行われる。
【００２２】
搬送駆動ローラ５３の副走査方向Ｙの上流側には、給紙トレイ５７が配設されている。給紙トレイ５７は、例えば普通紙やフォト紙等の記録紙Ｐを給紙可能な構成となっており、記録紙Ｐを自動給紙する給紙手段としてのＡＳＦ（オート・シート・フィーダー）が設けられている。ＡＳＦは、給紙トレイ５７に設けられた２つの給紙ローラ５７ｂ及び図示してない分離パッドを有する自動給紙機構である。この２つの給紙ローラ５７ｂの１つは、給紙トレイ５７の一方側に配置され、もう１つの給紙ローラ５７ｂは、記録紙ガイド５７ａに取り付けられており、記録紙ガイド５７ａは、記録紙Ｐの幅に合わせて幅方向に摺動可能に給紙トレイ５７に設けられている。そして、給紙ローラ５７ｂの回転駆動力と、分離パッドの摩擦抵抗により、給紙トレイ５７に置かれた複数の記録紙Ｐを給紙する際に、複数の記録紙Ｐが一度に給紙されることなく１枚ずつ正確に自動給紙される。また、給紙ローラ５７ｂと搬送駆動ローラ５３との間には、公知の技術による紙検出器６３が配設されている。
【００２３】
紙検出器６３は、立位姿勢への自己復帰習性が付与され、かつ記録紙搬送方向にのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である。紙検出器６３は、給紙ローラ５７ｂより給紙された記録紙Ｐの始端位置、及び終端位置を検出し、その検出位置に合わせて記録領域が決定され、記録が実行される。
【００２４】
一方、記録実行後の記録紙Ｐを排紙する手段として、排紙駆動ローラ５５と排紙従動ローラ５６とが設けられている。排紙駆動ローラ５５は、ステッピング・モータ等の回転駆動力により回転制御され、排紙駆動ローラ５５の回転により、記録実行後の記録紙Ｐは副走査方向Ｙに排紙される。排紙従動ローラ５６は、周囲に複数の歯を有し、各歯の先端が記録紙Ｐの記録面に点接触するように鋭角的に尖っている歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。そして、給紙ローラ５７ｂや搬送駆動ローラ５３、及び排紙駆動ローラ５５を回転駆動する図示していない搬送駆動用モータ、並びにキャリッジ６１を主走査方向に駆動する図示していないキャリッジ駆動用モータは、「記録制御装置」としての記録制御部１００により駆動制御される。また、記録ヘッド６２も同様に、記録制御部１００により駆動制御されて記録紙Ｐの表面にインクを噴射する。
【００２５】
図３は、本発明に係るインクジェット記録装置５０の概略のブロック図である。  
記録制御部１００は、システムバスＳＢを備えており、システムバスＳＢには、ＲＯＭ２１、ＲＡＭ２２、「ホスト装置」としての情報処理装置２００との「接続インタフェース回路」としてのＵＳＢコントローラ２３、メモリカードインタフェース２４、ＭＰＵ（マイクロプロセッサ）２６、Ｉ／Ｏ２７、及びヘッドドライバ２８がデータ転送可能に接続されている。ＭＰＵ２６では各種処理の演算処理が行われる。ＲＯＭ２１には、ＭＰＵ２６の演算処理に必要なソフトウェア・プログラム及びデータがあらかじめ記憶されている。ＲＡＭ２２は、ソフトウェア・プログラムの一時的な記憶領域、ＭＰＵ２６の作業領域等として使用される。
【００２６】
各種モータ制御部３１は、インクジェット式記録装置５０の各種モータを駆動制御する駆動制御回路である。各種センサー３２は、インクジェット記録装置５０の各種状態情報を検出してＩ／Ｏ２７に出力する。Ｉ／Ｏ２７は、ＭＰＵ２６における演算処理結果に基づいて、各種モータ制御部３１に対して出力制御を行い、かつ各種センサー３２からの入力情報等を入力する。ＵＳＢコントローラ２３は、デュアルロールＵＳＢインタフェース機能を備えている。例えば、ＵＳＢホストコントローラを搭載した「ホスト装置」としての情報処理装置２００として、パーソナルコンピュータ等のＵＳＢホスト装置が接続された場合には、インクジェット式記録装置５０をＵＳＢデバイスとして機能させる。
【００２７】
記録実行時に画像データは、情報処理装置２００においてＲＧＢデータからＹＭＣデータに色変換された後、２値化処理が行われて２値化されたＹＭＣデータに変換されて記録データが生成される。生成された記録データは、インクジェット式記録装置５０を制御するための制御データとともに記録制御データとして情報処理装置２００からインクジェット式記録装置５０へ送信される。情報処理装置２００から送信された記録制御データは、ＵＳＢコントローラ２３が受信した後、ＲＡＭ２２へ格納される。ＲＡＭ２２へ格納された記録制御データは、ＭＰＵ２６にて実行されるプログラム処理によって、コマンド解析、及びデータ圧縮された記録データを展開する処理等が実行されて、制御データと記録データとに分離される。制御データは、ＭＰＵ２６へ転送され、展開された記録データは、「ヘッド駆動手段」としてのヘッドドライバ２８へ転送される。
【００２８】
一方、ＵＳＢコントローラ２３は、ＵＳＢバスインタフェースを搭載したデジタルカメラ等のＵＳＢデバイスが接続された場合には、インクジェット式記録装置５０をＵＳＢホスト装置として機能させる。また、メモリカードインタフェース２４は、メモリカードスロット２５に挿入されたメモリカードに格納されている画像データの読み出しを実行する。ＵＳＢコントローラ２３を介してデジタルカメラ等のＵＳＢデバイスから読み出された画像データ、或いはメモリカードインタフェース２４を介してメモリカードから読み出された画像データは、ＭＰＵ２６にて実行されるプログラム処理によってＲＧＢデータからＹＭＣデータに色変換された後、２値化処理が行われて２値化されたＹＭＣデータに変換されて記録データが生成される。生成された記録データは、情報処理装置２００から記録データを受信した場合と同様にヘッドドライバ２８へ転送される。ヘッドドライバ２８は、その記録データに基づいて記録ヘッド６２を駆動し、記録ヘッド６２のヘッド面から各色のインクが記録紙Ｐの記録面に噴射されて記録紙Ｐへの記録が実行される。
【００２９】
図４は、本発明に係るインクジェット式記録装置５０の概略の電源系統図である。  
インクジェット式記録装置５０は、「電源装置」としての定電圧直流電源装置１１０を備えている。定電圧直流電源装置１１０は、電圧制御端子ＰＳＣを有し、電圧制御端子ＰＳＣがハイインピーダンス状態で出力電圧が「待機電圧」としての約２０Ｖに維持され、電圧制御端子ＰＳＣが０Ｖに短絡されると出力電圧が「定格電圧」としての４２Ｖに維持される。定電圧直流電源装置１１０の出力には、定電圧直流電源装置１１０から電力を供給される「負荷装置」として、モータＭ（前述した搬送駆動用モータやキャリッジ駆動用モータ）、記録ヘッド６２、及び定電圧直流電源装置１１０の出力電圧を制御回路用電圧３．３Ｖに変換して出力するＤＣ−ＤＣコンバータ３３、並びにＤＣ−ＤＣコンバータ３３を介して、記録制御部１００が接続されている。モータＭ、記録ヘッド６２、及びＤＣ−ＤＣコンバータ３３は、定電圧直流電源装置１１０の出力から直接電源を供給され、「定格電圧」としての４２Ｖで動作し、定電圧直流電源装置１１０の出力電圧が「待機電圧」としての約２０Ｖまで低下しているときは動作しない。したがって、定電圧直流電源装置１１０の出力電圧が「待機電圧」のときは、記録制御部１００への制御回路用電圧３．３Ｖも停止する。
【００３０】
第１の電圧制御手段４０は、ＵＳＢ接続ケーブルＣＢにて接続された情報処理装置２００からＵＳＢコネクタ３４を介して供給されるバスパワー電圧（ＶＢＵＳ端子に情報処理装置２００から供給される電圧）の立ち上がりを検出し、バスパワー電圧の立ち上がりを検出した時点から所定時間、電圧制御端子ＰＳＣを０Ｖに短絡する。第１の電圧制御手段４０は、バスパワー電圧の立ち上がりを検出する立ち上がり検出回路４２と、立ち上がり検出回路４２が検出したバスパワー電圧の立ち上がりから所定時間のＯＮ電圧を出力するワンショット回路４１と、ワンショット回路４１が出力するＯＮ電圧で動作して電圧制御端子ＰＳＣを０Ｖに短絡する「電源制御用スイッチ回路」としてのトランジスタＱ２とを有している。
【００３１】
第２の電圧制御手段６０は、記録制御部１００と、記録制御部１００の出力端子ＯＰの出力電圧で動作し、ＯＮ状態で電圧制御端子ＰＳＣを０Ｖに短絡するトランジスタＱ１とを有している。記録制御部１００は、ＵＳＢ接続ケーブルＣＢを介してバスパワー電圧を検出する入力端子ＩＰ２にて検出したバスパワー電圧が一定の電圧以上である間は、トランジスタＱ１をＯＮ制御して電圧制御端子ＰＳＣを０Ｖに短絡した状態を保持し、バスパワー電圧が一定の電圧未満に低下したことを検出した後、トランジスタＱ１をＯＦＦ制御して電圧制御端子ＰＳＣをハイインピーダンスに保持する。
【００３２】
また、記録制御部１００は、インクジェット式記録装置５０の電源スイッチ３５の操作状態を「電源スイッチ操作検出手段」としての入力端子ＩＰ１から入力する。入力端子ＩＰ１は、抵抗Ｒ１を介して制御回路用電圧３．３Ｖでプルアップされている。電源スイッチ３５の接点回路は、一方側がＧＮＤに短絡されており、他方側がダイオードＤ２を介して記録制御部１００の入力端子ＩＰ１と、ダイオードＤ１を介して定電圧直流電源装置１１０の電圧制御端子ＰＳＣとにそれぞれ接続されている。電源スイッチ３５を操作（押下）している間は、記録制御部１００の入力端子ＩＰ１が０Ｖに短絡され、入力端子ＩＰ１の電圧が３．３Ｖから０Ｖに変化し、それによって、記録制御部１００が電源スイッチ３５の操作状態を検出する。また、電源スイッチ３５を操作（押下）している間は、定電圧直流電源装置１１０の電圧制御端子ＰＳＣが０Ｖに短絡され、定電圧直流電源装置１１０の出力電圧が定格電圧としての４２Ｖになる。
【００３３】
以下、図５〜図８に示した第１の電圧制御手段４０及び第２の電圧制御手段６０のタイミングチャート、並びに、図９及び図１０に示した記録制御部１００にて実行されるインクジェット式記録装置５０の電源ＯＮ／ＯＦＦ制御の手順を示したフローチャートを参照しながらさらに説明する。
【００３４】
図５は、電源スイッチ３５によってインクジェット式記録装置５０の電源をＯＮする場合における要部の電圧変化のタイミングを示したタイミングチャートである。  
電源ＯＦＦ状態のインクジェット式記録装置５０は、定電圧直流電源装置１１０の出力電圧が待機電圧となっており、記録制御部１００が機能停止した状態となっている。その状態から電源スイッチ３５を操作（押下）すると、定電圧直流電源装置１１０の電圧制御端子ＰＳＣが０Ｖに短絡され、それによって、定電圧直流電源装置１１０の出力電圧が待機電圧から定格電圧４２Ｖまで上昇する。ＤＣ−ＤＣコンバータ３３から制御回路用電圧３．３Ｖが出力されるようになり、記録制御部１００が起動する。
【００３５】
起動後の記録制御部１００は、入力端子ＩＰ１が電源スイッチ３５の操作によって０Ｖに短絡されていることを検出して、出力端子ＯＰから出力するトランジスタＱ１の制御電圧をＯＮ制御電圧に保持する。トランジスタＱ１のベース電流が流れてトランジスタＱ１がＯＮし、コレクタに接続されている電圧制御端子ＰＳＣがエミッタに接続されている０Ｖに短絡される。電源スイッチ３５が操作（押下）されていない状態になった後も記録制御部１００に制御されるトランジスタＱ１によって電圧制御端子ＰＳＣが０Ｖに短絡された状態が保持されるので、定電圧直流電源装置１１０の出力電圧が定格電圧４２Ｖに維持され、インクジェット式記録装置５０の電源ＯＮ状態が維持される。
【００３６】
図６は、電源スイッチ３５によってインクジェット式記録装置５０の電源をＯＦＦする場合における要部の電圧変化のタイミングを示したタイミングチャートである。  
電源ＯＮ状態のインクジェット式記録装置５０は、定電圧直流電源装置１１０の出力電圧が定格電圧となっており、記録制御部１００が動作している。その状態から電源スイッチ３５を操作（押下）すると、記録制御部１００の入力端子ＩＰ２の電圧が３．３Ｖから０Ｖに変化する。記録制御部１００は、入力端子ＩＰ２の電圧が０Ｖになったことを検出した後、出力端子ＯＰから出力するトランジスタＱ１の制御電圧をＯＦＦ制御電圧に保持する。トランジスタＱ１のベース電流が流れなくなり、トランジスタＱ１がＯＦＦし、トランジスタＱ１のコレクタに接続されている電圧制御端子ＰＳＣがハイインピーダンスに保持される。それによって、定電圧直流電源装置１１０の出力電圧が定格電圧４２Ｖから待機電圧まで低下して、ＤＣ−ＤＣコンバータ３３から制御回路用電圧３．３Ｖが出力されなくなり、記録制御部１００が停止してインクジェット式記録装置５０の電源がＯＦＦ状態となる。
【００３７】
図７は、ＵＳＢコネクタ３４にＵＳＢケーブルＣＢを介して電源ＯＮ状態の情報処理装置２００を接続することによって、インクジェット式記録装置５０の電源をＯＮする場合における要部の電圧変化のタイミングを示したタイミングチャートである。  
電源ＯＦＦ状態のインクジェット式記録装置５０は、定電圧直流電源装置１１０の出力電圧が待機電圧となっており、記録制御部１００が機能停止した状態となっている。その状態からＵＳＢコネクタ３４にＵＳＢケーブルＣＢを介して電源ＯＮ状態の情報処理装置２００を接続すると、立ち上がり検出回路４２がＶＢＵＳ端子のバスパワー電圧（５Ｖ）の立ち上がりを検出し、ワンショット回路４１によってトランジスタＱ２が所定時間（符号Ｔで示した時間）ＯＮ制御される。符号Ｔで示した時間、トランジスタＱ２のベース電流が流れてトランジスタＱ２がＯＮし、トランジスタＱ２のコレクタに接続されている電圧制御端子ＰＳＣがトランジスタＱ２のエミッタに接続されている０Ｖに短絡される。それによって、定電圧直流電源装置１１０の出力電圧が待機電圧から定格電圧４２Ｖまで上昇し、ＤＣ−ＤＣコンバータ３３から制御回路用電圧３．３Ｖが出力されるようになり、記録制御部１００が起動する。
【００３８】
記録制御部１００は、入力端子ＩＰ２に接続されているＶＢＵＳ端子に情報処理装置２００からバスパワー電圧（５Ｖ）が供給されていることを検出して、出力端子ＯＰから出力するトランジスタＱ１の制御電圧をＯＮ制御電圧に保持する。トランジスタＱ１のベース電流が流れてトランジスタＱ１がＯＮし、トランジスタＱ１のコレクタに接続されている電圧制御端子ＰＳＣが、トランジスタＱ１のエミッタに接続されている０Ｖに短絡される。符号Ｔで示した時間が経過してトランジスタＱ２がＯＦＦした後も記録制御部１００にＯＮ制御されているトランジスタＱ１によって電圧制御端子ＰＳＣが０Ｖに短絡された状態が保持されるので、定電圧直流電源装置１１０の出力電圧が定格電圧４２Ｖに維持され、インクジェット式記録装置５０の電源ＯＮ状態が維持される。
【００３９】
図８は、ＵＳＢコネクタ３４にＵＳＢケーブルＣＢを介して接続されている電源ＯＮ状態の情報処理装置２００を非接続状態にすること、或いは情報処理装置２００を電源ＯＦＦすることによって、インクジェット式記録装置５０の電源をＯＦＦする場合における要部の電圧変化のタイミングを示したタイミングチャートである。  
電源ＯＮ状態のインクジェット式記録装置５０は、定電圧直流電源装置１１０の出力電圧が定格電圧となっており、記録制御部１００が動作している。その状態からＵＳＢコネクタ３４にＵＳＢケーブルＣＢを介して接続されている電源ＯＮ状態の情報処理装置２００を非接続状態にすると、或いは情報処理装置２００を電源ＯＦＦすると、ＶＢＵＳ端子に情報処理装置２００からバスパワー電圧（５Ｖ）が供給されなくなる。
【００４０】
記録制御部１００は、入力端子ＩＰ２に接続されているＶＢＵＳ端子に情報処理装置２００からバスパワー電圧（５Ｖ）が供給されなくなったことを検出した後、出力端子ＯＰから出力するトランジスタＱ１の制御電圧をＯＦＦ制御電圧に保持する。トランジスタＱ１のベース電流が流れなくなり、トランジスタＱ１がＯＦＦし、トランジスタＱ１のコレクタに接続されている電圧制御端子ＰＳＣがハイインピーダンスに保持される。それによって、定電圧直流電源装置１１０の出力電圧が定格電圧４２Ｖから待機電圧まで低下して、ＤＣ−ＤＣコンバータ３３から制御回路用電圧３．３Ｖが出力されなくなり、記録制御部１００が停止してインクジェット式記録装置５０の電源がＯＦＦ状態となる。
【００４１】
図９は、記録制御部１００におけるインクジェット式記録装置５０の電源ＯＮ手順を示したフローチャートである。  
当該手順は、電源スイッチ３５の操作、又はＵＳＢコネクタ３４にＵＳＢケーブルＣＢを介して電源ＯＮ状態の情報処理装置２００が接続されて、定電圧直流電源装置１１０の出力電圧が待機電圧から定格電圧４２Ｖに上昇し、ＤＣ−ＤＣコンバータ３３から記録制御部１００への制御回路用電圧３．３Ｖの供給が開始された後、起動した記録制御部１００によるインクジェット式記録装置５０の電源ＯＮ処理が実行されるまでの間、定周期で繰り返し実行される手順である。
【００４２】
まず、電源スイッチ３５が操作（押下）されているか否かを判定する（ステップＳ１）。電源スイッチ３５が押下されている場合には（ステップＳ１でＹｅｓ）、つづいて、電源スイッチ３５の操作（押下）が１秒間以上継続しているか否かを判定する（ステップＳ２）。この手順は、電源スイッチ３５の押下状態を確実に検出してノイズ等による誤動作を防止するための手順であり、電源スイッチ３５が１秒間以上押下されていることを検出して電源スイッチ３５が押下状態にあることを確実に検出するための手順である。電源スイッチ３５の操作（押下）が１秒間以上継続していない場合には（ステップＳ２でＮｏ）、そのまま当該手順を終了し、電源スイッチ３５の操作（押下）が１秒間以上継続した場合には（ステップＳ２でＹｅｓ）、つづいて、トランジスタＱ１のＯＮ制御を実行する（ステップＳ５）。それによって、定電圧直流電源装置１１０の電圧制御端子ＰＳＣを０Ｖに短絡した状態が保持され、定電圧直流電源装置１１０の出力電圧が定格電圧４２Ｖに維持される。そして、所定の電源ＯＮ処理手順を実行してインクジェット式記録装置５０の電源をＯＮ状態にする（ステップＳ６）。ここでの所定の電源ＯＮ処理手順は、インクジェット式記録装置５０の電源ＯＮ／ＯＦＦ状態を表示するＬＥＤ表示灯（図示せず）の点灯制御手順、「主走査駆動手段」と「副走査駆動手段」とを含むエンジン部の動作開始手順、システムステータス表示手順、及びＵＳＢコントローラ２３による情報処理装置２００との通信開始手順等である。
【００４３】
一方、電源スイッチ３５が操作（押下）されていない場合には（ステップＳ１でＮｏ）、つづいて、情報処理装置２００からＶＢＵＳ端子にバスパワー電圧が供給されているか否かを判定する（ステップＳ３）。ＶＢＵＳ端子にバスパワー電圧が供給されていない場合には（ステップＳ３でＮｏ）、そのまま当該手順を終了し、ＶＢＵＳ端子にバスパワー電圧が供給されている場合には（ステップＳ３でＹｅｓ）、つづいて、ＶＢＵＳ端子へのバスパワー電圧の供給が１秒間以上継続しているか否かを判定する（ステップＳ４）。この手順は、ＵＳＢコネクタ３４にＵＳＢケーブルＣＢを介して電源ＯＮ状態の情報処理装置２００が接続された状態を確実に検出してノイズ等による誤動作を防止するための手順であり、ＶＢＵＳ端子へのバスパワー電圧の供給が１秒間以上継続していることを検出して、ＵＳＢコネクタ３４にＵＳＢケーブルＣＢを介して電源ＯＮ状態の情報処理装置２００が接続されていることを確実に検出するための手順である。
【００４４】
ＶＢＵＳ端子へのバスパワー電圧の供給が１秒間以上継続していない場合には（ステップＳ４でＮｏ）、そのまま当該手順を終了し、ＶＢＵＳ端子へのバスパワー電圧の供給が１秒間以上継続した場合には（ステップＳ４でＹｅｓ）、つづいて、トランジスタＱ１のＯＮ制御を実行する（ステップＳ５）。それによって、定電圧直流電源装置１１０の電圧制御端子ＰＳＣを０Ｖに短絡した状態が保持され、定電圧直流電源装置１１０の出力電圧が定格電圧４２Ｖに維持される。そして、前述した所定の電源ＯＮ処理手順を実行してインクジェット式記録装置５０の電源をＯＮ状態にする（ステップＳ６）。
【００４５】
図１０は、記録制御部１００におけるインクジェット式記録装置５０の電源ＯＦＦ手順を示したフローチャートである。当該手順は、インクジェット式記録装置５０の電源がＯＮ状態の間、定周期で繰り返し実行される手順である。  
ステップＳ１１及びステップＳ１２は、図９に示したステップＳ１及びステップＳ２と同様なので説明は省略する。そして、電源スイッチ３５の操作（押下）が１秒間以上継続した場合には（ステップＳ１２でＹｅｓ）、所定の電源ＯＦＦ処理手順を実行する（ステップＳ１５）。そして、所定の電源ＯＦＦ処理手順を実行した後、トランジスタＱ１のＯＦＦ制御を実行する（ステップＳ１６）。それによって、定電圧直流電源装置１１０の電圧制御端子ＰＳＣがハイインピーダンスに保持され、定電圧直流電源装置１１０の出力電圧が待機電圧まで低下した状態が維持され、インクジェット式記録装置５０が電源ＯＦＦ状態になる。
【００４６】
ここでの所定の電源ＯＦＦ処理手順は、まず、インクジェット式記録装置５０の動作モードが省電力モードである場合には、省電力モードを解除する手順、ＪＯＢ要求を発行していれば、ＪＯＢ中止要求を発行して応答を受信する手順、省電力モードへ移行するための手順の中止手順、システムステータス表示手順、ＵＳＢコントローラ２３による情報処理装置２００との通信終了手順、前記エンジン部の動作終了手順、及び不揮発性メモリ（図示せず）への各種データの保存手順、及びインクジェット式記録装置５０の電源ＯＮ／ＯＦＦ状態を表示するＬＥＤ表示灯（図示せず）の消灯制御手順等である。
【００４７】
一方、電源スイッチ３５が操作（押下）されていない場合には（ステップＳ１１でＮｏ）、つづいて、情報処理装置２００からＶＢＵＳ端子にバスパワー電圧が供給されているか否かを判定する（ステップＳ１３）。ＶＢＵＳ端子にバスパワー電圧が供給されている場合には（ステップＳ１３でＮｏ）、そのまま当該手順を終了し、ＶＢＵＳ端子にバスパワー電圧が供給されていない場合には（ステップＳ１３でＹｅｓ）、つづいて、ＶＢＵＳ端子へバスパワー電圧が供給されていない状態が１秒間以上継続しているか否かを判定する（ステップＳ１４）。ＶＢＵＳ端子へバスパワー電圧が供給されていない状態が１秒間以上継続していない場合には（ステップＳ１４でＮｏ）、そのまま当該手順を終了し、ＶＢＵＳ端子へバスパワー電圧が供給されていない状態が１秒間以上継続した場合には（ステップＳ１４でＹｅｓ）、前述した所定の電源ＯＦＦ処理手順を実行する（ステップＳ１５）。そして、所定の電源ＯＦＦ処理手順を実行した後、トランジスタＱ１のＯＦＦ制御を実行する（ステップＳ１６）。それによって、定電圧直流電源装置１１０の電圧制御端子ＰＳＣがハイインピーダンスに保持され、定電圧直流電源装置１１０の出力電圧が待機電圧まで低下した状態が維持され、インクジェット式記録装置５０が電源ＯＦＦ状態になる。
【００４８】
このように、第１の電圧制御手段４０にてバスパワー電圧を検出して定電圧直流電源装置１１０の出力電圧を定格電圧４２Ｖにした後は、第２の電圧制御手段６０によって定電圧直流電源装置１１０の電圧制御端子ＰＳＣを０Ｖに保持することによって、バスパワー電圧が一定の電圧未満に低下した時点から電圧制御端子ＰＳＣをハイインピーダンスにするタイミングを記録制御部１００がコントロールすることができる。
【００４９】
以上説明したように、ＵＳＢ接続ケーブルＣＢを介して情報処理装置２００から供給されるバスパワー電圧を検出し、情報処理装置２００のバスパワー電圧を検出している間、つまり、電源ＯＮ状態の情報処理装置２００がＵＳＢコネクタ３４によりＵＳＢコントローラ２３（接続インタフェース回路）を介して接続されている間、インクジェット式記録装置５０の定電圧直流電源装置１１０の出力電圧が定格電圧４２Ｖとなるように定電圧直流電源装置１１０の電圧制御端子ＰＳＣを制御する。それによって、電源ＯＮ状態の情報処理装置２００が接続されている間のみインクジェット式記録装置５０の電源がＯＮ状態に制御されることになるので、電源ＯＮ状態の情報処理装置２００が接続されているＵＳＢ接続ケーブルＣＢをインクジェット式記録装置５０に接続するとインクジェット式記録装置５０が自動的に電源ＯＮとなり、そのＵＳＢ接続ケーブルＣＢを抜くと（或いは情報処理装置２００の電源をＯＦＦにすると）、インクジェット式記録装置５０が自動的に電源ＯＦＦとなる。つまり、インクジェット式記録装置５０の電源ＯＮ／ＯＦＦ操作を電源ＯＮ状態の情報処理装置２００が接続されたＵＳＢ接続ケーブルＣＢの抜き差し（或いは、ＵＳＢ接続ケーブルＣＢで接続されている情報処理装置２００の電源ＯＮ／ＯＦＦ）で自動的に行うことができる。
【００５０】
さらに、ＵＳＢ接続ケーブルＣＢを介して情報処理装置２００から供給されるバスパワー電圧を利用して、電源ＯＮ状態の情報処理装置２００の接続状態を検出してインクジェット式記録装置５０の定電圧直流電源装置１１０の出力電圧を制御するので、インクジェット式記録装置５０が電源ＯＦＦ状態のときに記録制御部１００を停止させた状態で、ＵＳＢコネクタ３４によりＵＳＢコントローラ２３を介して接続されている情報処理装置２００の電源状態を検出することが可能になる。また、インクジェット式記録装置５０に情報処理装置２００が接続されていないスタンドアロンの状態においては、インクジェット式記録装置５０に設けられた電源スイッチ３５によってインクジェット式記録装置５０の電源をＯＮ／ＯＦＦすることができる。
【００５１】
このようにして、インクジェット式記録装置５０の電源ＯＦＦ時の消費電力を増大させることなく、ＵＳＢ接続ケーブルＣＢで情報処理装置２００と接続して使用する際に情報処理装置２００とインクジェット式記録装置５０との両者の電源操作をすることの煩わしさを軽減することができる。
【００５２】
また、他の実施の形態として記録制御部１００は、インクジェット式記録装置５０の電源がＯＮ状態で入力端子ＩＰ２にてバスパワー電圧を検出している間は、つまり、ＵＳＢ接続ケーブルＣＢを介して電源ＯＮ状態の情報処理装置２００が接続されている間は、電源スイッチ３５が操作されたことを検出しても電圧制御端子ＰＳＣを０Ｖに短絡した状態を保持して、インクジェット式記録装置５０の電源ＯＮ状態を維持するようにしても良い。さらに、その状態で、電源スイッチ３５が一定時間（例えば、７秒〜１０秒程度）以上操作されたことを検出した場合には、インクジェット式記録装置５０の電源を強制的にＯＦＦするようにしても良い。それによって、情報処理装置２００とインクジェット式記録装置５０とを常時ＵＳＢ接続ケーブルＣＢで接続した状態でもインクジェット式記録装置５０の電源を電源スイッチ３５でＯＮ／ＯＦＦすることが可能になる。
【００５３】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００５４】
【図１】本発明に係るインクジェット式記録装置の平面図である。
【図２】本発明に係るインクジェット式記録装置の側面図である。
【図３】本発明に係るインクジェット式記録装置のブロック図である。
【図４】本発明に係るインクジェット式記録装置の概略の電源系統図である。
【図５】電源スイッチで電源をＯＮする場合のタイミングチャートである。
【図６】電源スイッチで電源をＯＦＦする場合のタイミングチャートである。
【図７】ＵＳＢケーブル接続で電源ＯＮする場合のタイミングチャートである。
【図８】ＵＳＢケーブル接続で電源ＯＦＦする場合のタイミングチャートである。
【図９】記録制御部における電源ＯＮ手順を示したフローチャートである。
【図１０】記録制御部における電源ＯＦＦ手順を示したフローチャートである。
【符号の説明】
【００５５】
２１  ＲＯＭ、２２  ＲＡＭ、２３  ＵＳＢコントローラ、２４  メモリカードインタフェース、２５  メモリカードスロット、２６  ＭＰＵ、２７  Ｉ／Ｏ、２８  ヘッドドライバ、３３  ＤＣ−ＤＣコンバータ、３４  ＵＳＢコネクタ、３５  電源スイッチ、４０  第１の電圧制御手段、４１  ワンショット回路、４２  立ち上がり検出回路、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、６０  電源制御部、６１  キャリッジ、６２  記録ヘッド、６３  紙検出器、１００  記録制御部、１１０  定電圧直流電源装置、２００  情報処理装置、ＣＢ  ＵＳＢケーブル、Ｐ  記録紙、ＰＳＣ  電圧制御端子、ＳＢ  システムバス、Ｘ  主走査方向、Ｙ  副走査方向
【図１】
2005250739.tif 000003
【図２】
2005250739.tif 000004
【図３】
2005250739.tif 000005
【図４】
2005250739.tif 000006
【図５】
2005250739.tif 000007
【図６】
2005250739.tif 000008
【図７】
2005250739.tif 000009
【図８】
2005250739.tif 000010
【図９】
2005250739.tif 000011
【図１０】
2005250739.tif 000012